(57)【要約】【課題】プラグを利用するときに、ユーザーが、電気ソケットの所定の差込穴の位置に制限されず、ニーズに対応して変更することができ、差し込まれる電気製品の電気使用量を把握することが可能なスマート電気ソケットを提供する。【解決手段】本考案に係るスマート電気ソケットは、本体と、スマートシステムと、を備え、前記本体に差込穴が少なくとも二つ設けられており、前記各差込穴は、伸び方向に沿って直線的に伸び、前記プラグの端子は、ドッキング方向に沿って前記各差込穴に差し込むことができ、選択的に前記伸び方向に沿ってスライドすることができ、前記伸び方向は前記ドッキング方向に垂直であり、前記スマートシステムは、電子装置との相互通信を行うことができ、遠距離リモコンスイッチの機能を有する。【選択図】図１
0003226533.tif 000002
【実用新案登録請求の範囲】
【請求項１】
電気接続ユニットと、少なくとも二つのドッキングユニットとが設けられており、前記電気接続ユニットは電源と電気的に接続し、前記各ドッキングユニットには、導電ユニットと、差込部とが設けられており、前記導電ユニットは前記電気接続ユニットと電気的に接続し、前記差込部により、少なくとも一つのプラグは、ドッキング方向に沿って差し込んで前記導電ユニットと電気的に接続し、前記差込部は、少なくとも二つの差込穴を備え、前記各差込穴は伸び方向に沿って直線的に伸び、前記伸び方向は前記ドッキング方向に垂直であり、前記プラグの端子は、前記ドッキング方向に沿って前記各差込穴に差し込むことができ、選択的に前記伸び方向に沿ってスライドすることができる本体と、
前記本体に設けられており、プロセッサーと、無線通信モジュールと、少なくとも二つのスイッチモジュールと、を備え、前記無線通信モジュールと前記少なくとも二つのスイッチモジュールとは、それぞれ、独立に前記プロセッサーと電気的に接続し、前記無線通信モジュールは無線でネットワークシステムと接続し、前記プロセッサーは、前記無線通信モジュールを介して、電子装置との相互通信を行い、前記少なくとも二つのスイッチモジュールは、前記無線通信モジュールを介して、前記電子装置に制御され、前記少なくとも二つのスイッチモジュールの数量は、前記少なくとも二つのドッキングユニットの数量と同じであり、前記少なくとも二つのスイッチモジュールは、それぞれ、前記少なくとも二つのドッキングユニットの導電ユニットと前記電気接続ユニットとの間に電気的に接続されており、前記プロセッサーは、前記電子装置からの信号を受信して、前記信号によって前記スイッチモジュールを制御して、前記導電ユニットと前記電気接続ユニットの電気回路をオンにし、又はオフにするスマートシステムと、を備えることを特徴とする、
スマート電気ソケット。
【請求項２】
前記スマートシステムは、更に、ディスプレイと、記憶装置と、を備え、前記ディスプレイと前記記憶装置とは、それぞれ、前記プロセッサーと電気的に接続し、前記記憶装置により、電気使用情報が記憶され、前記ディスプレイは、前記プロセッサーが前記記憶装置から読み取った電気使用情報を受信して表示するためのものであり、前記電気使用情報は、電気使用量、電圧値、電流値および電気使用時間のうちの少なくとも一つを含むことを特徴とする、請求項１に記載のスマート電気ソケット。
【請求項３】
前記スマートシステムは、更に、検出モジュールと、警告モジュールと、を備え、前記検出モジュールと前記警告モジュールとは、それぞれ、前記プロセッサーと電気的に接続し、前記プロセッサーには、電気使用警告値が予め設定されており、前記検出モジュールにより、電気使用情報が検出されて前記プロセッサーにフィードバックされ、前記電気使用情報は、電流値および電圧値のうちの少なくとも一つを含み、前記プロセッサーは、前記電気使用情報が前記電気使用警告値より高いと判断した場合に、前記警告モジュールを作動させることを特徴とする、請求項１に記載のスマート電気ソケット。
【請求項４】
前記警告モジュールはデジタル警告メッセージを含み、前記デジタル警告メッセージは、前記無線通信モジュールのブロックを経由して、前記電子装置に同期に転送されることを特徴とする、請求項３に記載のスマート電気ソケット。
【請求項５】
前記スマートシステムは、更に、少なくとも二つのオートパワーオフモジュールを備え、前記少なくとも二つのオートパワーオフモジュールは、それぞれ、前記プロセッサーと電気的に接続し、前記少なくとも二つのオートパワーオフモジュールの数量は、前記少なくとも二つのドッキングユニットの数量と同じであり、前記少なくとも二つのオートパワーオフモジュールは、それぞれ、前記少なくとも二つのドッキングユニットの導電ユニットと前記電気接続ユニットとの間に電気的に接続されており、前記各オートパワーオフモジュールは、電流検出器と、ブレーカーと、を備え、前記電流検出器は、前記導電ユニットの電流値を検出して、前記プロセッサーにフィードバックし、前記プロセッサーには、電流安全値が予め設定されており、前記プロセッサーは、前記電流値が前記電流安全値より高いと判断した場合に、前記ブレーカーを駆動して、前記導電ユニットと前記電気接続ユニットとの連通をディスコネクトすることを特徴とする、請求項１に記載のスマート電気ソケット。
【請求項６】
前記本体は、更に、ケースと、蓋と、を備え、前記ケースは内部空間を囲み、前記電気接続ユニットは前記ケースに設けられており、前記導電ユニットは前記内部空間に設置されており、前記差込部は前記蓋に設けられていることを特徴とする、請求項１に記載のスマート電気ソケット。
【請求項７】
前記電気接続ユニットは、第１ジョイントと、アダプターと、を備え、前記第１ジョイントは、前記本体に設けられており、前記各ドッキングユニットの導電ユニットと電気的に接続し、前記第１ジョイントは、前記アダプターに分離可能に差し込まれており、電気的に接続する関係があり、前記アダプターに第２ジョイントが設けられており、前記第２ジョイントは、通用電気ソケットに差し込むことができ、その仕様が前記第１ジョイントの仕様と異なることを特徴とする、請求項１ないし６の何れか一項に記載のスマート電気ソケット。
【請求項８】
前記電気接続ユニットは、第１ジョイントと、延長コードと、を備え、前記第１ジョイントは、前記本体に設けられており、前記各ドッキングユニットの導電ユニットと電気的に接続し、前記延長コードは、電気的に接続する、コネクターと、電源コードと、通用プラグと、を備え、前記第１ジョイントは、前記コネクターに分離可能に差し込まれており、電気的に接続する関係があり、前記通用プラグは、通用電気ソケットに差し込むことができることを特徴とする、請求項１に記載のスマート電気ソケット。
【請求項９】
前記電気接続ユニットは、第１ジョイントと、接続台と、を備え、前記第１ジョイントは、前記本体に設けられており、前記各ドッキングユニットの導電ユニットと電気的に接続し、前記接続台は、ベースに設けられており、その内部の電源配線と電気的に接続し、前記第１ジョイントは、前記接続台に分離可能に差し込まれており、電気的に接続する関係があることを特徴とする、請求項１に記載のスマート電気ソケット。
【請求項１０】
前記スマートシステムは、更に、ディスプレイと、記憶装置と、を備え、前記ディスプレイと前記記憶装置とは、それぞれ、前記プロセッサーと電気的に接続し、前記記憶装置には、電気使用情報が記憶されており、前記ディスプレイは、前記プロセッサーが前記記憶装置から読み取った電気使用情報を受信して表示するためのものであり、前記電気使用情報は、電気使用量、電圧値、電流値および電気使用時間のうちの少なくとも一つを含み、前記スマートシステムは、更に、少なくとも二つのオートパワーオフモジュールを備え、前記少なくとも二つのオートパワーオフモジュールは、それぞれ、前記プロセッサーと電気的に接続し、前記少なくとも二つのオートパワーオフモジュールの数量は、前記少なくとも二つのドッキングユニットの数量と同じであり、前記少なくとも二つのオートパワーオフモジュールは、それぞれ、前記少なくとも二つのドッキングユニットの導電ユニットと前記電気接続ユニットとの間に電気的に接続されており、前記各オートパワーオフモジュールは、電流検出器と、ブレーカーと、を備え、前記電流検出器は、前記導電ユニットの電流値を検出して前記プロセッサーにフィードバックし、前記プロセッサーには、電流安全値が予め設定されており、前記プロセッサーは、前記電流値が前記電流安全値より高いと判断した場合に、前記ブレーカーを駆動して、前記導電ユニットと前記電気接続ユニットの連通をディスコネクトし、前記本体は、更に、ケースと、蓋と、を備え、前記ケースは内部空間を囲み、前記電気接続ユニットは前記ケースに設けられており、前記導電ユニットは前記内部空間に設置されており、前記差込部は前記蓋に設けられており、前記電気接続ユニットは、第１ジョイントと、アダプターと、延長コードと、接続台と、を備え、前記第１ジョイントは、前記本体に設けられており、前記各ドッキングユニットの導電ユニットと電気的に接続し、前記第１ジョイントは、前記アダプターに分離可能に差し込まれており、電気的に接続する関係があり、前記アダプターに第２ジョイントが設けられており、前記第２ジョイントは通用電気ソケットに差し込むことが可能であり、前記第２ジョイントの仕様は、前記第１ジョイントの仕様と異なり、前記延長コードは、電気的に接続する、コネクターと、電源コードと、通用プラグと、を備え、前記第１ジョイントは前記コネクターに分離可能に差し込まれており、電気的に接続する関係があり、前記通用プラグは前記通用電気ソケットに差し込むことが可能であり、前記接続台は、ベースに設けられており、その内部の電源配線と電気的に接続し、前記第１ジョイントは、前記接続台に分離可能に差し込まれており、電気的に接続する関係があり、前記少なくとも二つの差込穴の数量は三つであり、前記各ドッキングユニットの導電ユニットは、第１導電素子と、第２導電素子と、第３導電素子と、を備え、前記第１から第３導電素子は、三つの前記差込穴にそれぞれ対応し、前記第１導電素子と前記第２導電素子のうちの一方は、前記プラグのフェーズライン端子と電気的に接続し、他方は前記プラグ及びミッドライン端子と電気的に接続し、前記第３導電素子は前記プラグのアースライン端子と電気的に接続し、前記各第１導電素子は、それぞれ独立であり、互いに電気的に接続せず、前記蓋と前記ケースとは立方体であり、前記少なくとも二つのドッキングユニットは、数量が四つであり、それぞれ前記蓋の四つの側辺に隣接し、前記本体は、更に、絶縁な保護部材を備え、前記保護部材は、前記蓋を覆い、前記ディスプレイを覆わず、「回」字形を呈し、前記保護部材に長穴が少なくとも二つ設けられており、前記少なくとも二つの長穴は、それぞれ、前記少なくとも二つの差込穴に対応し、前記保護部材はシリコンで構成され、前記蓋の前記各差込部に隣接する箇所に嵌合部が設けられており、前記保護部材の前記嵌合部に対応する箇所に係合部がそれぞれ設けられており、前記係合部が前記嵌合部と係合することにより、前記保護部材は前記蓋に位置決められ、前記第１ジョイントは三つの端子を有するジョイントであり、前記ケースに取付部が設けられており、前記第１ジョイントは前記取付部の底部に設けられており、前記アダプターは、前記取付部に嵌め込まれており、前記第１ジョイントと結合し、前記ケースに放熱穴が多数設けられており、前記スマートシステムは、更に、電子回路基板と、少なくとも一つのＵＳＢ充電モジュールと、を備え、前記プロセッサー、前記各オートパワーオフモジュール、前記ディスプレイ、前記検出モジュール、前記警告モジュール、前記各スイッチモジュール及び前記各ＵＳＢ充電モジュールは、それぞれ、前記電子回路基板と電気的に接続することを特徴とする、請求項４に記載のスマート電気ソケット。
【考案の詳細な説明】
【技術分野】
【０００１】
本考案は、スマート電気ソケットに関するものである。
【背景技術】
【０００２】
現在のテクノロジー製品（例えば、電灯、クーラー、コンピューター、モータなど）は電気エネルギーによって作動することが一般的であり、電気エネルギーは、国民の生活の不可欠なエネルギーである。国民が製品のプラグを電気ソケットに差し込むと、電気製品を便利に利用することができる。例えば中華民国実用新案Ｍ５３７３３８号の電気ソケットは、このようなものである。これらの電気ソケットは、プラグの二つの端子を差し込むための二つの差込穴だけが設けられていることが一般的であるが、ある種の電気ソケットには、アースするための端子を差し込むために、第３の差込穴が設けられている。
【０００３】
しかし、このような構成を有するプラグによれば、ユーザーは、電気ソケットの所定の差込穴の位置によって利用することができるものの、ニーズに対応して変更することができない。例えば、プラグの形態および体積の大きさには色々あり、大きいプラグを差し込んで使用するときには、それに隣接する電気ソケットの差込穴を遮蔽することがあるため、当該電気ソケットを利用することができなくなる。さらに、このようなプラグでは、差し込まれる電気製品の電気使用量を把握することができない。地球温暖化および気候変動などの問題がどんどん酷くなる現在では、電気使用の情況を把握することにより、節電の目的を達成することが必要である。
【考案の概要】
【考案が解決しようとする課題】
【０００４】
本考案の主な目的は、プラグを利用するときに、ユーザーは、電気ソケットの所定の差込穴の位置に制限せず、ニーズに対応して変更することができ、差し込まれる電気製品の電気使用量を把握することが可能なスマート電気ソケットを提供することにある。
【課題を解決するための手段】
【０００５】
本考案に係るスマート電気ソケットは、電気接続ユニットと、少なくとも二つのドッキングユニットとが設けられており、電気接続ユニットは電源と電気的に接続し、各ドッキングユニットには、導電ユニットと、差込部とが設けられており、導電ユニットは電気接続ユニットと電気的に接続し、差込部により、少なくとも一つのプラグは、ドッキング方向に沿って差し込んで導電ユニットと電気的に接続し、差込部は、少なくとも二つの差込穴を備え、各差込穴は伸び方向に沿って直線的に伸び、伸び方向はドッキング方向に垂直であり、プラグの端子は、ドッキング方向に沿って各差込穴に差し込むことができ、選択的に伸び方向に沿ってスライドすることができる本体と、本体に設けられており、プロセッサーと、無線通信モジュールと、少なくとも二つのスイッチモジュールと、を備え、無線通信モジュールと少なくとも二つのスイッチモジュールとは、それぞれ独立にプロセッサーと電気的に接続し、無線通信モジュールは無線でネットワークシステムと接続し、プロセッサーは、無線通信モジュールを介して、電子装置との相互通信を行い、少なくとも二つのスイッチモジュールは、無線通信モジュールを介して、電子装置に制御され、少なくとも二つのスイッチモジュールの数量は、少なくとも二つのドッキングユニットの数量と同じであり、少なくとも二つのスイッチモジュールは、それぞれ、少なくとも二つのドッキングユニットの導電ユニットと電気接続ユニットとの間に電気的に接続されており、プロセッサーは、電子装置からの信号を受信して、信号によってスイッチモジュールを制御して、導電ユニットと電気接続ユニットの電気回路をオンにし、又はオフにするスマートシステムと、を備えることを特徴とする。
【０００６】
本考案に係るスマート電気ソケットは、スマートシステムは、更に、ディスプレイと、記憶装置と、を備え、ディスプレイと記憶装置とは、それぞれ、プロセッサーと電気的に接続し、記憶装置により、電気使用情報が記憶され、ディスプレイは、プロセッサーが記憶装置から読み取った電気使用情報を受信して表示するためのものであり、電気使用情報は、電気使用量、電圧値、電流値および電気使用時間のうちの少なくとも一つを含むことを特徴とする。
【０００７】
本考案に係るスマート電気ソケットは、スマートシステムは、更に、検出モジュールと、警告モジュールと、を備え、検出モジュールと警告モジュールとは、それぞれ、プロセッサーと電気的に接続し、プロセッサーには、電気使用警告値が予め設定されており、検出モジュールにより、電気使用情報が検出されてプロセッサーにフィードバックされ、電気使用情報は、電流値および電圧値のうちの少なくとも一つを含み、プロセッサーは、電気使用情報が電気使用警告値より高いと判断した場合に、警告モジュールを作動させることを特徴とする。
【０００８】
本考案に係るスマート電気ソケットは、警告モジュールはデジタル警告メッセージを含み、デジタル警告メッセージは、無線通信モジュールのブロックを経由して、電子装置に同期に転送されることを特徴とする。
【０００９】
本考案に係るスマート電気ソケットは、スマートシステムは、更に、少なくとも二つのオートパワーオフモジュールを備え、少なくとも二つのオートパワーオフモジュールは、それぞれ、プロセッサーと電気的に接続し、少なくとも二つのオートパワーオフモジュールの数量は、少なくとも二つのドッキングユニットの数量と同じであり、少なくとも二つのオートパワーオフモジュールは、それぞれ、少なくとも二つのドッキングユニットの導電ユニットと電気接続ユニットとの間に電気的に接続されており、各オートパワーオフモジュールは、電流検出器と、ブレーカーと、を備え、電流検出器は、導電ユニットの電流値を検出して、プロセッサーにフィードバックし、プロセッサーには、電流安全値が予め設定されており、プロセッサーは、電流値が電流安全値より高いと判断した場合に、ブレーカーを駆動して、導電ユニットと電気接続ユニットとの連通をディスコネクトすることを特徴とする。
【００１０】
本考案に係るスマート電気ソケットは、本体は、更に、ケースと、蓋と、を備え、ケースは内部空間を囲み、電気接続ユニットはケースに設けられており、導電ユニットは内部空間に設置されており、差込部は蓋に設けられていることを特徴とする。
【００１１】
本考案に係るスマート電気ソケットは、電気接続ユニットは、第１ジョイントと、アダプターと、を備え、第１ジョイントは、本体に設けられており、各ドッキングユニットの導電ユニットと電気的に接続し、第１ジョイントは、アダプターに分離可能に差し込まれており、電気的に接続する関係があり、アダプターに第２ジョイントが設けられており、第２ジョイントは、通用電気ソケットに差し込むことができ、その仕様が第１ジョイントの仕様と異なることを特徴とする。
【００１２】
本考案に係るスマート電気ソケットは、電気接続ユニットは、第１ジョイントと、延長コードと、を備え、第１ジョイントは、本体に設けられており、各ドッキングユニットの導電ユニットと電気的に接続し、延長コードは、電気的に接続する、コネクターと、電源コードと、通用プラグと、を備え、第１ジョイントは、コネクターに分離可能に差し込まれており、電気的に接続する関係があり、通用プラグは、通用電気ソケットに差し込むことができることを特徴とする。
【００１３】
本考案に係るスマート電気ソケットは、電気接続ユニットは、第１ジョイントと、接続台と、を備え、第１ジョイントは、本体に設けられており、各ドッキングユニットの導電ユニットと電気的に接続し、接続台は、ベースに設けられており、その内部の電源配線と電気的に接続し、第１ジョイントは、接続台に分離可能に差し込まれており、電気的に接続する関係があることを特徴とする。
【００１４】
本考案に係るスマート電気ソケットは、スマートシステムは、更に、ディスプレイと、記憶装置と、を備え、ディスプレイと記憶装置とは、それぞれ、プロセッサーと電気的に接続し、記憶装置には、電気使用情報が記憶されており、ディスプレイは、プロセッサーが記憶装置から読み取った電気使用情報を受信して表示するためのものであり、電気使用情報は、電気使用量、電圧値、電流値および電気使用時間のうちの少なくとも一つを含み、スマートシステムは、更に、少なくとも二つのオートパワーオフモジュールを備え、少なくとも二つのオートパワーオフモジュールは、それぞれ、プロセッサーと電気的に接続し、少なくとも二つのオートパワーオフモジュールの数量は、少なくとも二つのドッキングユニットの数量と同じであり、少なくとも二つのオートパワーオフモジュールは、それぞれ、少なくとも二つのドッキングユニットの導電ユニットと電気接続ユニットとの間に電気的に接続されており、各オートパワーオフモジュールは、電流検出器と、ブレーカーと、を備え、電流検出器は、導電ユニットの電流値を検出してプロセッサーにフィードバックし、プロセッサーには、電流安全値が予め設定されており、プロセッサーは、電流値が電流安全値より高いと判断した場合に、ブレーカーを駆動して、導電ユニットと電気接続ユニットの連通をディスコネクトし、本体は、更に、ケースと、蓋と、を備え、ケースは内部空間を囲み、電気接続ユニットはケースに設けられており、導電ユニットは内部空間に設置されており、差込部は蓋に設けられており、電気接続ユニットは、第１ジョイントと、アダプターと、延長コードと、接続台と、を備え、第１ジョイントは、本体に設けられており、各ドッキングユニットの導電ユニットと電気的に接続し、第１ジョイントは、アダプターに分離可能に差し込まれており、電気的に接続する関係があり、アダプターに第２ジョイントが設けられており、第２ジョイントは通用電気ソケットに差し込むことが可能であり、第２ジョイントの仕様は、第１ジョイントの仕様と異なり、延長コードは、電気的に接続する、コネクターと、電源コードと、通用プラグと、を備え、第１ジョイントはコネクターに分離可能に差し込まれており、電気的に接続する関係があり、通用プラグは通用電気ソケットに差し込むことが可能であり、接続台は、ベースに設けられており、その内部の電源配線と電気的に接続し、第１ジョイントは、接続台に分離可能に差し込まれており、電気的に接続する関係があり、少なくとも二つの差込穴の数量は三つであり、各ドッキングユニットの導電ユニットは、第１導電素子と、第２導電素子と、第３導電素子と、を備え、第１から第３導電素子は、三つの差込穴にそれぞれ対応し、第１導電素子と第２導電素子のうちの一方は、プラグのフェーズライン端子と電気的に接続し、他方はプラグ及びミッドライン端子と電気的に接続し、第３導電素子はプラグのアースライン端子と電気的に接続し、各第１導電素子は、それぞれ独立であり、互いに電気的に接続せず、蓋とケースとは立方体であり、少なくとも二つのドッキングユニットは、数量が四つであり、それぞれ蓋の四つの側辺に隣接し、本体は、更に、絶縁な保護部材を備え、保護部材は、蓋を覆い、ディスプレイを覆わず、「回」字形を呈し、保護部材に長穴が少なくとも二つ設けられており、少なくとも二つの長穴は、それぞれ、少なくとも二つの差込穴に対応し、保護部材はシリコンで構成され、蓋の各差込部に隣接する箇所に嵌合部が設けられており、保護部材の嵌合部に対応する箇所に係合部がそれぞれ設けられており、係合部が嵌合部と係合することにより、保護部材は蓋に位置決められ、第１ジョイントは三つの端子を有するジョイントであり、ケースに取付部が設けられており、第１ジョイントは取付部の底部に設けられており、アダプターは、取付部に嵌め込まれており、第１ジョイントと結合し、ケースに放熱穴が多数設けられており、スマートシステムは、更に、電子回路基板と、少なくとも一つのＵＳＢ充電モジュールと、を備え、プロセッサー、各オートパワーオフモジュール、ディスプレイ、検出モジュール、警告モジュール、各スイッチモジュール及び各ＵＳＢ充電モジュールは、それぞれ、電子回路基板と電気的に接続することを特徴とする。
【考案の効果】
【００１５】
本考案に係るスマート電気ソケットは、差込穴が伸びる設計により、プラグを、本体に対してスライドすることができる。ひいては異なる外形を有するプラグに対応でき、使用のニーズに対応して位置を迅速に移動でき、別の電気ソケットを利用することを必要せず、スマートシステムを介して電子装置との相互通信を行うことにより、ユーザーが、電気の使用情況を把握でき、スイッチのリモコン操作を行うこともできるという効果がある。
【図面の簡単な説明】
【００１６】
【図１】本考案の一実施形態に係るスマート電気ソケットを示す斜視図である。
【図２】図１の分解斜視図である。
【図３】図１の断面図である。
【図４】図１の一部の素子を示す平面図である。
【図５】スマートシステムのシステムを示すブロック図である。
【図６】本考案の一実施形態に係るスマート電気ソケットの第１の使用状態を示す図である。
【図７】図６のプラグが差し込まれた状態を示す断面図である。
【図８】図６のプラグが差し込まれた状態を示す斜視図である。
【図９】本考案の一実施形態に係るスマート電気ソケットの第２の使用状態を示す図である。
【図１０】本考案の一実施形態に係るスマート電気ソケットの第３の使用状態を示す図である。
【考案を実施するための形態】
【００１７】
以下、本考案の実施の形態を図面に基づいて説明する。
【００１８】
図１から図１０を参照する。本考案の一実施形態に係るスマート電気ソケットは、本体１と、スマートシステム５と、を備える。
【００１９】
具体的には、本体１に、電気接続ユニット３と、少なくとも二つのドッキングユニット４とが設けられている。電気接続ユニット３は電源（図示せず）と電気的に接続し、各ドッキングユニット４に、導電ユニット４１と、差込部４２とが設けられており、導電ユニット４１が電気接続ユニット３と電気的に接続し、少なくとも一つのプラグ８２は、ドッキング方向７１に沿って差込部４２に差し込んで、導電ユニット４１と電気的に接続する。
差込部４２は少なくとも二つの差込穴４２１を備える。各差込穴４２１は、伸び方向７２に沿って直線的に伸びる。伸び方向７２はドッキング方向７１に垂直である。プラグ８２は、端子がドッキング方向７１に沿って各差込穴４２１に差し込んで、伸び方向７２に沿って選擇的にスライドすることが可能である。
【００２０】
これにより、複数のプラグ８２を同時に利用するときに、ユーザーは、各プラグ８２の形態および体積の大きさ（例えばＡ型、Ｂ型または変圧器の形態）に合わせて、それぞれ、より良い使用位置に自由に移動することができ、別の箇所の電気ソケットに移動して使用する必要がない。差込部４２により、ユーザーは使用方式が極めて便利となる。
【００２１】
具体的には、少なくとも二つの差込穴４２１は、数量が三であり、Ａ型、Ｂ型およびＪ型のプラグ８２をそれに差し込んで使用することができる。上記のことから理解できるのは、各ドッキングユニット４の導電ユニット４１は、第１導電素子４１１と、第２導電素子４１２と、第３導電素子４１３と、を備え、第１導電素子４１１、第２導電素子４１２及び第３導電素子４１３は、それぞれ三つの差込穴４２１に対応し、第１導電素子４１１及び第２導電素子４１２のうちの一方はプラグ８２のフェーズライン端子８２１と電気的に接続し、他方はプラグ８２のミッドライン端子８２２と電気的に接続し、第３導電素子４１３はプラグ８２のアースライン端子８２３と電気的に接続することにある。
ここで強調したいのは、本実施形態に係る各第１導電素子４１１は、それぞれ独立し、互いに電気的に接続しないことにより、各ドッキングユニット４は、独立に電力を供給することができ、独立に電源を切ることができるという効果を有する点である。
【００２２】
スマートシステム５は本体１に設けられており、プロセッサー５１と、無線通信モジュール５２と、少なくとも二つのスイッチモジュール５８と、を備える。無線通信モジュール５２と少なくとも二つのスイッチモジュール５８とは、それぞれ、独立にプロセッサー５１と電気的に接続する。無線通信モジュール５２は、無線でネットワークシステム（ＷＩＦＩ（登録商標））と接続する。
プロセッサー５１は、無線通信モジュール５２を経由して、電子装置９（例えば携帯電話、タブレットコンピューター又はノートコンピューターなど）と相互通信することができる。少なくとも二つのスイッチモジュール５８は、無線通信モジュール５２を経由して、電子装置９に制御される。少なくとも二つのスイッチモジュール５８の数量は、少なくとも二つのドッキングユニット４の数量と同じである。少なくとも二つのスイッチモジュール５８は、それぞれ、少なくとも二つのドッキングユニット４の導電ユニット４１と電気接続ユニット３との間に電気的に接続されている。
【００２３】
プロセッサー５１は、電子装置９からの異なる信号によって、スイッチモジュール５８を制御して、導電ユニット４１と電気接続ユニット３の電子回路をディスコネクトし、又は導通する。これにより、ユーザーは、電子装置９のアプリケーションソフトウェアを介して、プロセッサー５１と通信的に接続して、電気製品のスイッチを遠距離リモコンすることができる。そして、ユーザーは、前記スマート電気ソケットの電気使用情報を得ることができ、異なる電気製品の使用情況および電力消耗量を把握することができる。ひいては電力消耗量がより多い電気製品を監視して制御することができ、電力を節約する目的を達成できる。
【００２４】
スマートシステム５は、更に、ディスプレイ５４と、記憶装置５５とを備える。ディスプレイ５４と記憶装置５５とは、それぞれ、プロセッサー５１と電気的に接続し、記憶装置５５は電気使用情報を記憶するためのものであり、ディスプレイ５４は、プロセッサー５１が記憶装置５５から読み取った電気使用情報を受信して表示するためのものであり、前記電気使用情報は、電気使用量、電圧値、電流値および電気使用時間のうちの少なくとも一つを含むことが好ましい。
ユーザーが前記スマート電気ソケットの近所にいるときには、ディスプレイ５４を介して前記電気使用情報を直接に知ることができる。上記のことから理解できるのは、ユーザーは、電子装置９がプロセッサー５１と通信的に接続することにより、前記電気使用情報を得ることもできる。
【００２５】
また、スマートシステム５は、更に、検出モジュール５６と、警告モジュール５７と、を備える。検出モジュール５６と、警告モジュール５７とは、それぞれ、プロセッサー５１と電気的に接続し、プロセッサー５１に電気使用警告値が予め設定されており、検出モジュール５６は、電気使用情報を検出して、プロセッサー５１にフィードバックするためのものであり、前記電気使用情報は、電流値及び電圧値のうちの少なくとも一つを含むことが好ましい。
プロセッサー５１は、前記電気使用情報が前記電気使用警告値より高いと判断した場合に、警告モジュール５７を作動することにより、現在の電気製品の利用がより危ない状態にあり、電気製品が故障する虞があることをユーザーに警告する。本実施形態に係る警告モジュール５７は、デジタル警告メッセージを含む。前記デジタル警告メッセージは、無線通信モジュール５２を経由して、電子装置９に同期に転送することにより、外出しているユーザーに知らせる。
【００２６】
また、スマートシステム５は、更に、少なくとも二つのオートパワーオフモジュール５３を備え、少なくとも二つのオートパワーオフモジュール５３は、それぞれ、プロセッサー５１と電気的に接続することが好ましい。
少なくとも二つのオートパワーオフモジュール５３の数量は、少なくとも二つのドッキングユニット４の数量と同じである。少なくとも二つのオートパワーオフモジュール５３は、それぞれ、少なくとも二つのドッキングユニット４の導電ユニット４１と電気接続ユニット３との間に電気的に接続されている。これにより、ドッキングユニット４の負荷が大きすぎてオートパワーオフを行うときには、別のドッキングユニット４の電力の供給を影響せず、別のドッキングユニット４に電気的に接続されている電気製品は持続的に利用できる。
【００２７】
詳細には、各オートパワーオフモジュール５３は、電流検出器５３１と、ブレーカー５３２とを備える。電流検出器５３１は、導電ユニット４１の電流値を検出して、プロセッサー５１にフィードバックする。プロセッサー５１に電流安全値が予め設定されている。プロセッサー５１は、前記電流値が前記電流安全値より高いと判断した場合に、ブレーカー５３２を駆動して、導電ユニット４１と電気接続ユニット３の連通をディスコネクトする。
【００２８】
ここで、補足したいのは、スマートシステム５は、更に、電子回路基板６と、少なくとも一つのＵＳＢ充電モジュール５９と、を備え、プロセッサー５１、各オートパワーオフモジュール５３、ディスプレイ５４、検出モジュール５６、警告モジュール５７、各スイッチモジュール５８及び各ＵＳＢ充電モジュール５９は、それぞれ、電子回路基板６と電気的に接続する点である。
少なくとも一つのＵＳＢ充電モジュール５９は、別の電力供給の方式を提供し、プラグ８２からの電力がなくても、例えば、ユーザーはＵＳＢデータ転送ケーブルを介して携帯電話を直接充電することができる。
【００２９】
本実施形態に係る本体１は、更に、ケース１１と、蓋１２と、を備える。ケース１１は内部空間１３を囲む。電気接続ユニット３はケース１１に設けられている。導電ユニット４１は内部空間１３に設置されている。差込部４２は蓋１２に設けられている。そして、ケース１１に放熱穴１１２が多数設けられていることにより、稼働しているときに、電気抵抗による熱を放熱することができる。一方、蓋１２とケース１１とは、立方体である。少なくとも二つのドッキングユニット４は、数量が四つであり、それぞれ蓋１２の四つの側辺に隣接する。
【００３０】
本体１は、更に、絶縁な保護部材２を備えることが好ましい。保護部材２は、蓋１２を覆い、ディスプレイ５４を覆わない。換言すると、保護部材２は「回」字形を呈する。保護部材２に長穴２１が少なくとも二つ設けられている。少なくとも二つの長穴２１は、それぞれ少なくとも二つの差込穴４２１に対応することにより、プラグ８２の端子の挿通が便利となる。
【００３１】
詳細には、保護部材２は、シリコンで構成され、弾力性および絶縁性が良い。より詳細に説明すると、蓋１２の各差込部４２に近接する箇所に嵌合部１２１が設けられており、保護部材２の嵌合部１２１に対応する箇所に係合部２２がそれぞれ設けられており、係合部２２が嵌合部１２１に嵌め込まれていることにより、保護部材２を蓋１２に位置決めることができる。
【００３２】
特に、前記スマート電気ソケットに異なる部品を合わせると、各種の異なる使用状態にすることができる。まず、図６から図８の第１の使用状態を参考する。
【００３３】
電気接続ユニット３は、第１ジョイント３１と、アダプター３２と、を備える。第１ジョイント３１は、本体１に設けられており、各ドッキングユニット４の導電ユニット４１と電気的に接続する。第１ジョイント３１は、アダプター３２に分離可能に差し込まれており、電気的に接続する関係がある。
アダプター３２に第２ジョイント３３が設けられている。第２ジョイント３３は、通用電気ソケット８３に差し込むためのものである。第２ジョイント３３の仕様は、第１ジョイント３１の仕様と異なる。このような使用方式によれば、本来の配線を変更せず、前記スマート電気ソケットを迅速に利用することができ、別の場所に携帯して利用するのに便利となる。
【００３４】
詳細には、第１ジョイント３１は三つの端子を有するジョイントであり、台湾で利用される場合には、第２ジョイント３３はＡ型またはＢ型である。ケース１１には、凹んだ取付部１１１が設けられている。第１ジョイント３１は取付部１１１の底部に設けられている。アダプター３２は、取付部１１１に嵌め込まれて、第１ジョイント３１と結合する。
【００３５】
次に、図９の第２の使用状態を参照する。
電気接続ユニット３は、更に、延長コード３４を備える。延長コード３４は、電気的に接続する、コネクター３５と、電源コード３６と、通用プラグ３７と、を備える。第１ジョイント３１は、コネクター３５に分離可能に差し込まれており、電気的に接続する関係がある。通用プラグ３７は、通用電気ソケット８３に差し込むためのものである。この使用方式によれば、第１の使用状態のメリットを有すると同時に、延長コードの機能を得ることができ、ユーザーは本体１を必要な利用位置に移動することができる。
【００３６】
また、図１０の第３の使用状態を参照する。
電気接続ユニット３は、更に、接続台３８を備える。接続台３８は、ベース８４に設けられており、その内部の電源の配線と電気的に接続する。第１ジョイント３１は、接続台３８に分離可能に差し込まれており、電気的に接続する関係がある。この使用方式によれば、通用電気ソケット８３の使用方式を取り替えることができ、且つ一部が損壊して電子回路を検査することが必要な場合には、本体１をベース８４から迅速に離脱させることができる。そして、本体１は、接続台３８から離脱した後、アダプター３２または延長コード３４に合わせて利用することができる。換言すると、第１ないし第３の使用状態に自由で迅速に切り替えることができ、極めて便利である。
【００３７】
このため、本考案に係るスマート電気ソケットによれば、プロセッサーは、スマートシステムの無線通信モジュールを介して、連接ネットワークと接続して、電子装置と相互通信することができ、ユーザーは、電子装置から電気使用情報を直接得ることができる。そして、更に、オートパワーオフモジュールが設けられており、電流が大きすぎるときに、即時に電源を切ることができるため、利用の安全性が高い。一方、プラグは、差込部を任意にスライドすることができ、複数のプラグが同時に差し込まれているときに、ユーザーは、より良い使用位置にプラグを自由に移動することができる。
【００３８】
以上では、種々の実施の形態および変形例を説明したが、本考案はこれらの内容に限定されるものではない。本考案の技術的思想の範囲内で考えられるその他の態様も本考案の範囲内に含まれる。
【符号の説明】
【００３９】
１  本体
２  保護部材
３  電気接続ユニット
４  ドッキングユニット
５  スマートシステム
６  電子回路基板
９  電子装置
１１  ケース
１２  蓋
１３  内部空間
２１  長穴
２２  係合部
３１  第１ジョイント
３２  アダプター
３３  第２ジョイント
３４  延長コード
３５  コネクター
３６  電源コード
３７  通用プラグ
３８  接続台
４１  導電ユニット
４２  差込部
５１  プロセッサー
５２  無線通信モジュール
５３  オートパワーオフモジュール
５４  ディスプレイ
５５  記憶装置
５６  検出モジュール
５７  警告モジュール
５８  スイッチモジュール
５９  ＵＳＢ充電モジュール
７１  ドッキング方向
７２  伸び方向
８２  プラグ
８３  通用電気ソケット
８４  ベース
１１１  取付部
１１２  放熱穴
１２１  嵌合部
４１１  第１導電素子
４１２  第２導電素子
４１３  第３導電素子
４２１  差込穴
５３１  電流検出器
５３２  ブレーカー
８２１  フェーズライン端子
８２２  ミッドライン端子
８２３  アースライン端子
【図１】
0003226533.tif 000003
【図２】
0003226533.tif 000004
【図３】
0003226533.tif 000005
【図４】
0003226533.tif 000006
【図５】
0003226533.tif 000007
【図６】
0003226533.tif 000008
【図７】
0003226533.tif 000009
【図８】
0003226533.tif 000010
【図９】
0003226533.tif 000011
【図１０】
0003226533.tif 000012